(57)【特許請求の範囲】
【請求項１】
目的地を設定し、現在位置を検出し、その検出した位置の近傍の地図データを、地図データベースから読出して所定のディスプレイに地図を表示させる場合に、
所定の無線通信システムを使用してインターネットに接続し、その接続されたインターネットで、上記読出された地図データ情報により上記インターネット内の情報検索を行い、
上記インターネット内の情報検索から得られる情報を表示させるようにしたナビゲーション方法において、
上記現在位置の検出を行っている状態で、インターネットに接続させるための所定の操作があると、検出された現在位置の近傍のアクセスポイントを検索し、その検索されたアクセスポイント経由でインターネットに接続させるとともに、上記現在位置から進行方向の延長線上に存在する地名を上記地図データから判断して、判断した地名の一覧を上記ディスプレイに表示させ、
上記ディスプレイに表示された地名の中からいずれかの地名が選択された場合に、その選択された地名をキーワードとした上記インターネットでの検索を行い、
上記選択された地名に関連する情報を上記ディスプレイに表示する
ナビゲーション方法。
【請求項２】
上記判断した地名の一覧の表示は、現在位置に近い地名から順に表示させた表示である、
請求項１に記載のナビゲーション方法。
【請求項３】
上記関連する情報は道路情報である、
請求項１又は２記載のナビゲーション方法。
【請求項４】
目的地を設定する入力部と、
現在位置を検出する位置検出部と、
上記位置検出部で検出した位置の近傍の地図データを取得する制御部と、
該制御部で取得された地図データに基づいた地図を所定のディスプレイで表示するための表示信号を作成する表示処理部と
を備えたナビゲーション装置において、
所定の無線通信回線を使用してインターネットに接続される無線通信部と、
該無線通信部で接続された上記インターネットで上記地図データ情報により上記インターネット内の情報の検索を行う検索実行部とを備え、
上記位置検出部で現在位置の検出を行っている状態で、インターネットに接続させるための所定の操作があると、検出された現在位置の近傍のアクセスポイントを上記制御部が検索し、その検索されたアクセスポイント経由で上記無線通信部での無線通信でインターネットに接続させるとともに、上記現在位置から進行方向の延長線上に存在する地名を上記地図データから判断して、判断した地名の一覧を上記ディスプレイに表示させ、
上記ディスプレイに表示された地名の中からいずれかの地名が選択された場合に、上記検索実行部は、その選択された地名をキーワードとした上記インターネットでの検索を行い、
上記選択された地名に関連する情報を上記ディスプレイに表示する
ナビゲーション装置。
【請求項５】
上記ディスプレイでの上記判断した地名の一覧の表示は、現在位置に近い地名から順に表示させた表示である、
請求項４に記載のナビゲーション装置。
【請求項６】
上記関連する情報は道路情報である、
請求項４又は５記載のナビゲーション装置。
【請求項７】
目的地を設定する入力部と、
現在位置を検出する位置検出部と、
上記位置検出部で検出した位置の近傍の地図データを取得する制御部と、
該制御部で取得された地図データに基づいた地図を所定のディスプレイで表示するための表示信号を作成する表示処理部と
を備えた自動車において、
所定の無線通信回線を使用してインターネットに接続される無線通信部と、
該無線通信部で接続された上記インターネットで上記地図データ情報により上記インターネット内の情報の検索を行う検索実行部とを備え、
上記位置検出部で現在位置の検出を行っている状態で、インターネットに接続させるための所定の操作があると、検出された現在位置の近傍のアクセスポイントを上記制御部が検索し、その検索されたアクセスポイント経由で上記無線通信部での無線通信でインターネットに接続させるとともに、上記現在位置から進行方向の延長線上に存在する地名を上記地図データから判断して、判断した地名の一覧を上記ディスプレイに表示させ、
上記ディスプレイに表示された地名の中からいずれかの地名が選択された場合に、上記検索実行部は、その選択された地名をキーワードとした上記インターネットでの検索を行い、
上記選択された地名に関連する情報を上記ディスプレイに表示する
自動車。
【請求項８】
上記ディスプレイでの上記判断した地名の一覧の表示は、現在位置に近い地名から順に表示させた表示である、
請求項７に記載の自動車。
【請求項９】
上記関連する情報は道路情報である、
請求項７又は８記載の自動車。
【発明の詳細な説明】
【技術分野】
【０００１】
本発明は、自動車などの移動体に搭載させてその位置の近傍の地図を表示させる場合に適用されるナビゲーション方法及びナビゲーション装置と、このナビゲーション装置を備えた自動車に関する。
【背景技術】
【０００２】
従来、自動車などに搭載させるナビゲーション装置が各種開発されている。このナビゲーション装置は、例えば道路地図データが記憶されたＣＤ  ＲＯＭなどの大容量データ記憶手段と、現在位置の検出手段と、検出した現在位置の近傍の道路地図を、データ記憶手段から読出したデータに基づいて表示させるディスプレイ装置とで構成される。この場合、現在位置の検出手段としては、ＧＰＳ（Global Positioning System）と称される測位用の人工衛星を使用した測位システム（以下単にＧＰＳと称する）を使用したものや、車両の走行方向，走行速度などの情報に基づいて出発地点から現在位置の変化を追跡する自律航法によるものなどがある。
【０００３】
そして、このような現在位置の検出手段で検出された現在位置の近傍の道路地図のデータを、ＣＤ ＲＯＭなどの大容量データ記憶手段から読出して、道路地図を表示させる映像信号を作成し、この映像信号をディスプレイ装置に供給して、現在位置の近傍の道路地図を表示させるものである。なお、ナビゲーション装置本体とディスプレイ装置とは別体で構成されている場合もある。
【０００４】
ここで、道路地図データの記憶手段であるＣＤ  ＲＯＭには、道路地図データ以外の情報を記憶させたものが存在する。例えば、主要観光地の観光案内などのデータを記憶させて、ナビゲーション装置のディスプレイにその観光案内を表示できるようにしたものがある。
【０００５】
一方、これらのナビゲーション装置とは別の情報を得る手段として、携帯情報端末と称される小型の携帯用コンピュータ装置が普及しつつある。この携帯情報端末は、例えば携帯電話機と接続して、その携帯電話機で任意の場所にダイヤルして、必要な情報を伝送させて受信し、その受信した情報を携帯情報端末が備えるディスプレイ部に表示させる。この携帯情報端末と携帯電話機を使用すれば、例えば自動車内などの移動体の中でも、外部から必要な情報を得ることができる。
【発明の開示】
【発明が解決しようとする課題】
【０００６】
ところが、ＣＤ  ＲＯＭに用意された観光情報などをナビゲーション装置の画面に表示させる場合には、予めＣＤ  ＲＯＭなどの記憶媒体に用意された情報しか表示させることが出来ず、得られる情報のリアルタイム性に欠ける不都合があった。また、携帯情報端末と携帯電話機を組み合わせて外部から情報を得る場合には、携帯電話機での発呼操作や、携帯情報端末での必要な情報の受信操作や、その受信した情報の表示操作などが必要で、必要とした情報を得て表示させるのに手間がかかる不都合があった。
【０００７】
本発明はかかる点に鑑み、ナビゲーション装置を使用して簡単に必要とする情報が得られるようにすることを目的とする。
【課題を解決するための手段】
【０００８】
かかる問題点を解決するために本発明は、目的地を設定し、現在位置を検出し、その検出した位置の近傍の地図データを、地図データベースから読出して所定のディスプレイに地図を表示させる場合に、所定の無線通信システムを使用してインターネットに接続し、その接続されたインターネットで、読出された地図データ情報によりインターネット内の情報検索を行い、インターネット内の情報検索から得られる情報を表示させる。
そして、現在位置から進行方向の延長線上に存在する地名を地図データから判断して、判断した地名の一覧をディスプレイに表示させ、ディスプレイに表示された地名の中からいずれかの地名が選択された場合に、その選択された地名をキーワードとしたインターネットでの検索を行い、選択された地名に関連する情報をディスプレイに表示する。
【発明の効果】
【０００９】
本発明によると、ナビゲーション装置としてのディスプレイに、無線通信システムを利用した接続で得た任意の情報を表示させることが可能になり、例えばナビゲーション機能としての地図表示を行って場所の確認を行った上で、その確認した場所の情報を得て表示させることが可能になり、ナビゲーション装置の用途が広がる。
【００１０】
この場合、検出した現在位置の情報に基づいて、所定の接続業者の最寄りのアクセスポイントを検索し、その検索されたアクセスポイントに接続させるようにしたことで、自動的に最寄りのアクセスポイントに接続されることになり、アクセスポイントを探す手間がいらなくなる。
【００１１】
また、このアクセスポイントを検索する場合に、現在位置の検出として、測位用信号の受信による測位で行うようにしたことで、精度の高い現在位置の検出ができ、常時的確に最寄りのアクセスポイントを検索できるようになる。
【００１２】
また上述した場合に、検出した位置の近傍の地域に関係する情報を検索し、その情報を表示させるようにしたことで、自動的に現在位置の近傍の地域の情報が得られ、検索するキーワードなどを入力させることなく、自動的に必要な情報が得られる。
【００１３】
さらに、この自動的に検索する場合に、検出した位置に関係する情報が存在する情報の検索として、その位置の道路情報が存在する情報を検索するようにしたことで、自動的に現在位置の近傍の道路情報が得られ、受信した道路情報に基づいた的確なナビゲーションが行われる。
【００１４】
また上述した場合に、接続業者を経由して得られる情報を全て受信した後に、ディスプレイにその受信した情報の表示を行うようにしたことで、情報を接続業者からダウンロードしている間には、その情報の表示処理が行われず、道路地図などのナビゲーション用の情報を表示でき、ダウンロードしている間の待ち時間を有効に活用することができる。
【発明を実施するための最良の形態】
【００１５】
以下、本発明の一実施例を、添付図面を参照して説明する。
【００１６】
本例においては、移動体（ここでは自動車としてある）に搭載して使用するナビゲーション装置に適用したもので、図１にその全体構成を示す。このナビゲーション装置は、自動車などの移動体に搭載して使用するものであるが、固定された場所に設置した状態でも任意の場所の地図表示装置として使用できる。
【００１７】
以下、図１を参照して本例のナビゲーション装置の構成について説明する。本例のナビゲーション装置にはＧＰＳ用アンテナ１１が接続してあり、このアンテナ１１で受信した信号を、ＧＰＳ信号処理部１２に供給する。ＧＰＳ信号処理部１２では、ＧＰＳ（Global Positioning System）と称される測位システム用の受信処理を行う。即ち、複数の測位用人工衛星から送信されるＧＰＳ用の測位信号を受信して、その信号に含まれるデータを解析して、現在位置（緯度，経度，高度）のデータを得る。このＧＰＳ信号処理部１２で得た現在位置のデータを、ナビゲーション装置の中央制御装置（ＣＰＵ）１３に供給する。
【００１８】
中央制御装置１３は、測位された現在位置の近傍の道路地図を表示させる制御を行うコントローラで、位置の測位データがＧＰＳ信号処理部１２から供給されると、地図データベース部１４から該当する位置の近傍の道路地図データを読出してメモリ１５に転送させる。この場合、地図データベース部１４としては、例えば道路地図データが記憶されたＣＤ  ＲＯＭが装着されたＣＤ  ＲＯＭドライバを使用する。なお、ＣＤ  ＲＯＭなどの記憶媒体に記憶される道路地図データとしては、例えば各道路の始点と終点の座標位置のデータと、その始点と終点を接続するベクトルデータとで構成され、道路地図を表示させる際に必要な付属データについても、ＣＤ  ＲＯＭに記憶させてある。
【００１９】
そして、メモリ１５に読み出された道路地図データに基づいて供給される地図データを、中央制御装置１３の制御により、道路地図表示用の所定の方式の表示信号（例えばＲＧＢ信号）とする描画処理を行う。そして、この中央制御装置１３の制御で作成された表示信号を、接続されたディスプレイ１７に供給する。このディスプレイ１７としては、例えばカラー表示のできる液晶表示ディスプレイ装置が使用される。
【００２０】
また、このナビゲーション装置の操作部１６の操作情報が中央制御装置１３に供給されるようにしてあり、操作部１６の操作に基づいてこの装置の動作モードなどが設定される。
【００２１】
ここまでナビゲーション装置として一般的な構成であるが、本例においては中央制御装置１３に無線電話部１８が接続できるようにしてある。即ち、所定の無線電話システムを利用して無線電話回線を設定して、その回線で接続された任意の相手と通話（通信）ができる無線電話機として構成された無線電話部１８が、所定の接続ケーブルにより中央制御装置１３側と接続させてあり、無線電話部１８のアンテナ１９からの無線通信により、無線電話システム用の基地局と無線通信が行われる。この場合、無線電話部１８からの無線電話回線による発呼処理は、無線電話部１８が備えるダイヤルキーなどの操作の他に、中央制御装置１３からの制御によっても可能な構成としてある。
【００２２】
そして中央制御装置１３には、ＷＷＷブラウザ記憶部２０が接続してあり、無線電話部１８でインターネットサービスを行うプロバイダに接続された場合に、そのプロバイダで情報の検索を行って受信させる処理を行うプログラムであるＷＷＷ（World Wide Web）ブラウザのデータが記憶させてある。
【００２３】
また、本例のＷＷＷブラウザ記憶部２０には、このＷＷＷブラウザの他に、インターネットサービスを行うプロバイダのアクセスポイントのデータについても記憶させてある。このプロバイダのアクセスポイントのデータとしては、このナビゲーション装置の利用者が加入したインターネットサービス用のプロバイダが全国に持つアクセスポイントの所在地のデータと、各アクセスポイントにダイヤルアップで接続させる場合の電話番号のデータとが記憶させてある。
【００２４】
そして、中央制御装置１３では、操作部１６の操作によりインターネットに接続させる操作がなされたと判断したとき、そのときにＧＰＳ信号処理部１２で測位される現在位置を判断して、その現在位置に最寄りのアクセスポイントを、ＷＷＷブラウザ記憶部２０に記憶されたアクセスポイントのデータに基づいて検索する。そして、その検索されたアクセスポイントの電話番号の発呼データを中央制御装置１３から無線電話部１８に供給して、自動的に該当する電話番号に発呼させて、プロバイダにダイヤルアップで接続させる処理を行う。そして、ＷＷＷブラウザ記憶部２０に記憶されたＷＷＷブラウザに基づいて、必要な情報を検索して、その検索された情報が存在するホームページを無線電話部１８で受信させるダウンロードを行って、中央制御装置１３に接続されたメモリ１５にそのダウンロードされたホームページの情報を転送させる。そして、中央制御装置１３の制御によりそのホームページを表示させる表示信号として、ディスプレイ１７にそのホームページを表示させる処理を行う。
【００２５】
なお本例においては、１つのホームページを構成する全ての情報のダウンロードが完了してメモリ１５に転送された時点で、そのホームページの表示信号を作成して、ディスプレイ１７に表示させるようにしてあり、そのダウンロードが完了するまでは、ディスプレイ１７にナビゲーション用の道路地図などを表示させるようにしてある。
【００２６】
ここで、本例のナビゲーション装置を自動車に設置させた状態の一例を図２に示すと、例えばハンドル５１の脇のダッシュボード上にディスプレイ１７が取付けてあり、運転席５２に着席した者が、前方視界を邪魔しない状態で、ディスプレイ１７の表示を確認できるようにしてある。また、操作部１６としては、いわゆるジョイステック型として、ハンドル５１の脇に設置してあり、運転中に容易に操作できるようにしてある。また、無線電話部１８としては、いわゆる携帯無線電話機型のものが使用され、車内の所定位置の電話機取付け部５３に配置されて、接続ケーブル１８ａでナビゲーション装置本体である中央制御装置１３側と接続される。なお、操作部１６としては、図２に示すようなジョイステック型の操作部の他に、いわゆるキーボード型の入力部を別に用意して、インターネット接続時の文字入力操作などが簡単にできるようにしても良い。
【００２７】
次に、本例のナビゲーション装置にてインターネットのホームページを検索して表示させる処理の詳細を、図３以降のフローチャートを参照して説明する。
【００２８】
まず、本例のナビゲーション装置を起動させる際には、ディスプレイ１７にメニュー画面を表示させて（ステップ１０１）、動作モードを選択させる。ここで中央制御装置１３では、そのメニュー画面中のインターネット表示が操作部１６の操作により選択されたか否か判断する（ステップ１０２）。インターネット表示が選択された場合には、そのときにＧＰＳ信号処理部１２で測位される現在位置を確認し（ステップ１０３）、その確認された現在位置に最寄りのアクセスポイントの検出を、ＷＷＷブラウザ記憶部２０に記憶されたデータに基づいて行う（ステップ１０４）。
【００２９】
このアクセスポイントが検出されると、無線電話部１８で、そのアクセスポイントの電話番号へのダイヤルアップによる接続処理を中央制御装置１３の制御で実行させる（ステップ１０５）。このダイヤルアップ接続が行われると、ディスプレイ１７に接続が完了したことを表示させ（ステップ１０６）、以後は操作部１６の操作などに基づいて検索されたホームページのダウンロードなどをＷＷＷブラウザ記憶部２０に記憶されたプログラムに基づいて実行して、該当するホームページをディスプレイ１７に表示させる処理を行う。
【００３０】
そして、ステップ１０２でメニュー画面中のインターネット表示が選択されない場合には、通常のナビゲーション装置としての動作モードが設定されて、現在位置の道路地図などを表示させるナビゲーション処理が、中央制御装置１３の制御により実行される（ステップ１０７）。
【００３１】
このように本例のナビゲーション装置によると、メニュー画面でインターネット表示を選択するだけで、接続された無線電話機（無線電話部１８）を使用したプロバイダへのダイヤルアップ接続が行われて、所望のホームページの情報が得られる。この場合、ＧＰＳによる測位で現在位置を確認して、その位置に最も近いアクセスポイントに自動的にダイヤルアップ接続されるので、電話回線の使用料金（通話料金）を最も安くできる。
【００３２】
次に、本例のナビゲーション装置でインターネット表示を行う場合に、目的地の情報を得る目的地データ処理を、図４のフローチャートを参照して説明する。
【００３３】
この場合には、ディスプレイ１７にメニュー画面を表示させて（ステップ２０１）、そのメニュー画面中のインターネット表示が操作部１６の操作により選択されたか否か判断し（ステップ２０２）、さらに目的地検索が選択されたか否か判断する（ステップ２０３）。この目的地検索が選択された場合には、そのときにＧＰＳ信号処理部１２で測位される現在位置を確認すると共に、その確認した現在位置の近傍の地名を判断する（ステップ２０４）。ここでの近傍の地名の判断としては、例えば自車の進行方向などを判断して、自車の進行方向の延長線上の所定距離までの間に存在する市区町村名などを、地図データベース１４に記憶された地図データより判断する。そして、確認された現在位置に最寄りのアクセスポイントの検出を、ＷＷＷブラウザ記憶部２０に記憶されたデータに基づいて行う（ステップ２０５）。
【００３４】
このアクセスポイントが検出されると、無線電話部１８で、そのアクセスポイントの電話番号へのダイヤルアップによる接続処理を中央制御装置１３の制御で実行させる（ステップ２０６）。このダイヤルアップ接続が行われると、ステップ２０４で判断した地名（現在地から進行方向の延長線上に存在する地名）を、中央制御装置１３の制御によりディスプレイ１７に一覧表示させる（ステップ２０７）。このときの一覧表示としては、例えば現在位置に近い地名から順に表示させる。この地名表示が行われた状態で、操作部１６の操作によりいずれかの地名が選択されると（ステップ２０８）、ＷＷＷブラウザ記憶部２０に記憶されたプログラムに基づいて、選択された地名をキーワードとしたウェブ検索処理が起動されて、地名が情報に含まれるホームページが検索される（ステップ２０９）。
【００３５】
そして、その検索されたホームページの一覧が、中央制御装置１３の制御によりディスプレイ１７の画面に表示される（ステップ２１０）。このホームページの一覧が表示された状態で、操作部１６の操作によりいずれかのホームページが選択されると（ステップ２１１）、ＷＷＷブラウザ記憶部２０に記憶されたプログラムに基づいて、該当するホームページのデータのダウンロードが実行され、メモリ１５にダウンロードしたデータを記憶させる。そして、そのホームページの情報が完全にダウンロードされてメモリ１５に記憶された段階で、中央制御装置１３の制御で、その情報の表示信号を作成させて、ディスプレイ１７にそのホームページの情報を表示させる（ステップ２１２）。ここで、ステップ２１１でホームページが選択されてから、ステップ２１２でホームページの情報が表示されるまでの間（即ちホームページのデータのダウンロード中）には、ナビゲーション用の道路地図などを表示させても良い。
【００３６】
そして、ステップ２０２でメニュー画面中のインターネット表示が選択されない場合には、通常のナビゲーション装置としての動作モードが設定されて、現在位置の道路地図などを表示させるナビゲーション処理が、中央制御装置１３の制御により実行される（ステップ２１３）。
【００３７】
また、ステップ２０３で目的地検索が選択されない場合には、図３のフローチャートにより説明した通常のインターネット表示処理（ステップ１０３からステップ１０６の処理）が行われる（ステップ２１４）。
【００３８】
このように検索された目的地に基づいたインターネットのホームページの検索が自動的に出来るようになり、ナビゲーション装置を使用して道路地図以外の目的地に関する各種情報を提供できるようになる。なお、ここでは検出した現在地の前方に存在する地名を目的地とするようにしたが、ナビゲーション装置が備える目的地設定処理で目的地が予め設定されている場合には、その設定された目的地を一覧表示に加えるようにしても良い。また、ここでは単に地名でホームページの検索を行うようにしたが、他の条件を加えてホームページの検索を行うようにしても良い。例えば、地名とホテルと言う条件で検索させて、その地名の場所に存在するホテルに関する情報が得られるホームページを検索するようにしても良い。
【００３９】
次に、本例のナビゲーション装置でインターネット表示を行う場合に、道路情報を得る処理を、図５のフローチャートを参照して説明する。
【００４０】
この場合には、ディスプレイ１７にメニュー画面を表示させて（ステップ３０１）、そのメニュー画面中のインターネット表示が操作部１６の操作により選択されたか否か判断し（ステップ３０２）、さらに道路情報が選択されたか否か判断する（ステップ３０３）。この道路情報が選択された場合には、そのときにＧＰＳ信号処理部１２で測位される現在位置を確認し、その現在位置が属する地域（地名，都市名，都道府県名など）を判断する（ステップ３０４）。そして、確認された現在位置に最寄りのアクセスポイントの検出を、ＷＷＷブラウザ記憶部２０に記憶されたデータに基づいて行う（ステップ３０５）。
【００４１】
このアクセスポイントが検出されると、無線電話部１８で、そのアクセスポイントの電話番号へのダイヤルアップによる接続処理を中央制御装置１３の制御で実行させる（ステップ３０６）。このダイヤルアップ接続が行われると、ＷＷＷブラウザ記憶部２０に記憶されたプログラムに基づいて、ステップ３０４で判断した地域名の道路情報（混雑情報，通行規制情報，新規開通情報など）をキーワードとしたウェブ検索処理が起動されて、その地域の道路情報のホームページが検索される（ステップ３０７）。そして、ホームページが検索されると、ＷＷＷブラウザ記憶部２０に記憶されたプログラムに基づいて、該当するホームページのデータのダウンロードが実行され、メモリ１５にダウンロードしたデータを記憶させる。そして、そのホームページの情報が完全にダウンロードされてメモリ１５に記憶された段階で、中央制御装置１３の制御で、その情報の表示信号を作成させて、ディスプレイ１７にその道路情報のホームページの情報を表示させる（ステップ３０８）。なお、この場合にはステップ３０３で道路情報が選択されてから、ステップ３０８でホームページの道路情報が表示されるまでの間に、ナビゲーション用の道路地図などを表示させても良い。
【００４２】
そして、ステップ３０２でメニュー画面中のインターネット表示が選択されない場合には、通常のナビゲーション装置としての動作モードが設定されて、現在位置の道路地図などを表示させるナビゲーション処理が、中央制御装置１３の制御により実行される（ステップ３０９）。
【００４３】
また、ステップ３０３で道路情報が選択されない場合には、図３のフローチャートにより説明した通常のインターネット表示処理（ステップ１０３からステップ１０６の処理）又は図４のフローチャートにより説明した目的地処理（ステップ２０４からステップ２１２の処理）が行われる（ステップ３１０）。
【００４４】
このように測位された現在に基づいて判断された地域名などに基づいて、自動的に道路情報のホームページが検索されて、そのホームページの道路情報（混雑情報，通行規制情報，新規開通情報など）がディスプレイ１７に表示されるようになり、ナビゲーション装置を使用してインターネットを介して得た道路情報を提供できるようになる。なお、ここでは現在地の道路情報を得るようにしたが、例えば目的地の道路情報を得るようにしても良い。また、ここでは道路情報を得る処理について説明したが、地域に関連した他の情報を得るようにしても良い。例えば、現在位置の近傍の天気情報を得るようにしても良い。
【００４５】
なお、上述実施例ではＧＰＳによる測位を行うようにしたが、他の方法により測位するように構成しても良い。例えば、自動車の走行距離と進行方向の変化を積算して、始点からの位置を測位するいわゆる自律航法による測位を行うようにしても良い。
【００４６】
また、このような精度の高い現在位置の測位ではなく、大まかな現在位置の検出処理を行って、その検出された位置に基づいてアクセスポイントを検索させるようにしても良い。例えば、ＦＭ放送やＡＭ放送を受信するラジオ受信機を本例の装置に接続して、全国の主要ラジオ放送局の送信周波数のデータを予め用意しておき、その位置でラジオ放送を受信できる周波数の判断から、現在位置（地域）を判断して、その地域に最寄りのアクセスポイントを検索するようにしても良い。
【００４７】
また、上述実施例では自動車に搭載させたナビゲーション装置に適用したが、他の移動体用のナビゲーション装置にも本発明の処理が適用できることは勿論である。
【図面の簡単な説明】
【００４８】
【図１】本発明の一実施例の構成を示すブロック図である。
【図２】一実施例の装置を自動車に取付けた場合の運転席近傍を示す斜視図である。
【図３】一実施例のインターネット接続処理を示すフローチャートである。
【図４】一実施例のインターネットによる目的地データの処理を示すフローチャートである。
【図５】一実施例のインターネットによる道路情報の処理を示すフローチャートである。
【符号の説明】
【００４９】
１２  ＧＰＳ信号処理部、１３  中央制御装置（ＣＰＵ）、１４  地図データベース、１５  メモリ、１６  操作部、１７  ディスプレイ、１８  無線電話部、２０  ＷＷＷブラウザ記憶部
【図１】
0004572908.tif 000002
【図２】
0004572908.tif 000003
【図３】
0004572908.tif 000004
【図４】
0004572908.tif 000005
【図５】
0004572908.tif 000006